(57)【要約】【課題】子供から大人まで多くの人が簡単にセメント装飾品を作ることができるセメント装飾品の製造方法を提供する。【解決手段】セメント５を封入したセメント袋３内に水を封入した水袋４を装入した成形材料と、成形用の型枠１とを使用してセメント装飾品を作るセメント装飾品の製造方法である。任意の形状に型枠１を形成し、セメント袋３内の水袋４を破ってセメント３袋内で水とセメントを混合する。水とセメントを混合したゲル状セメントをセメント袋３から型枠１内に流し込み、ゲル状セメントが半固化した状態で、型枠１を外し、その半固化セメントの周囲のバリを削り取る。【選択図】図１
2006076204.tif 000002
【特許請求の範囲】
【請求項１】
セメントを封入したセメント袋内に水を封入した水袋を装入した成形材料と、成形用の型枠とを使用してセメント装飾品を作るセメント装飾品の製造方法であって、
任意の形状に型枠を形成する工程と、
該セメント袋内の該水袋を破って該セメント袋内で水とセメントを混合する工程と、
該水とセメントを混合したゲル状セメントを該型枠内に流し込む工程と、
該ゲル状セメントが半固化した状態で、該型枠を外し、半固化セメントの周囲のバリを削り取る工程と、
を含むことを特徴とするセメント装飾品の製造方法。
【請求項２】
前記型枠内に流し込んだ前記ゲル状セメントの上に装飾物を置いて付着させることを特徴とする請求項１記載のセメント装飾品の製造方法。
【請求項３】
前記型枠は所定の形状に裁断した発泡ポリウレタン片を組み立て接着して作ることを特徴とする請求項１記載のセメント装飾品の製造方法。
【発明の詳細な説明】
【技術分野】
【０００１】
本発明は、セメント装飾品の製造方法に関し、特に、予め用意されたキット材料からセメント装飾品を簡単に作ることができるセメント装飾品の製造方法に関する。
【背景技術】
【０００２】
近年、一般の人々が趣味として、陶磁器、ガラス製品、貴金属製品などの装飾品を作ることが流行しており、各地で開催されるカルチャー教室などにおいて、陶磁器、ガラス製品、貴金属製品などの各種の装飾品を作る講座が開催され、特別な技術を持たない一般の人々が、自分のデザインした装飾品を自ら楽しみながら製作することが行なわれている。このような装飾品を製作する技術として、例えば、貴金属の粘土状組成物から貴金属製品を製造する方法が、下記特許文献１などで提案されている。
【特許文献１】特開２００３−２９９５１５号公報
【発明の開示】
【発明が解決しようとする課題】
【０００３】
しかし、上記のような陶磁器、ガラス製品、貴金属製品を作る際には、殆どの場合、成形後にそれを高い温度で焼成する工程、或は成形中にガスバーナーなどにより高温に加熱する工程など、極めて注意を要する多くの工程を必要とし、焼成のための電気炉などの高価な設備を必要としていた。このため、子供から大人まで多くの人が気軽に装飾品を作ることが難しく、また装飾品の製作のための高価な設備を個人で揃えることは難しい、という課題があった。
【０００４】
本発明は、上述の課題を解決するものであり、子供から大人まで多くの人が簡単にセメント装飾品を作ることができるセメント装飾品の製造方法を提供することを目的とする。
【課題を解決するための手段】
【０００５】
本発明に係るセメント装飾品の製造方法は、セメントを封入したセメント袋内に水を封入した水袋を装入した成形材料と、成形用の型枠とを使用してセメント装飾品を作るセメント装飾品の製造方法であって、任意の形状に型枠を形成する工程と、セメント袋内の水袋を破ってセメント袋内で水とセメントを混合する工程と、水とセメントを混合したゲル状セメントを型枠内に流し込む工程と、ゲル状セメントが半固化した状態で、型枠を外し、半固化セメントの周囲のバリを削り取る工程と、を含むことを特徴とする。
【０００６】
ここで、上記製造方法においては、型枠内に流し込んだゲル状セメントの上に装飾物を置いて付着させることができる。また、上記型枠は所定の形状に裁断した発泡ポリウレタン片を組み立て接着して作ることができる。
【発明の効果】
【０００７】
このようなセメント装飾品の製造方法で使用される材料は、キット材料として顧客に販売される。キット材料には、セメントを封入したセメント袋内に水を封入した水袋を装入した成形材料と、成形用の型枠材料とが含まれている。なお、セメントは単独で使用し、或はセメントに砂などの骨材を混合して使用することもできる。
【０００８】
顧客は、先ず、自分のデザインした形状に成形用の型枠を、例えば所定の形状に裁断した発泡ポリウレタン片などを使用して、製作する。発泡ポリウレタンは軽量で任意の形状に、カッターなどで容易に裁断することができ、使用者は希望する任意の形状に、型枠を容易に作ることができる。
【０００９】
次に、成形材料であるセメント袋内の水袋を破り、セメント袋内で水とセメントを混合する。セメント袋は密閉され、内側にセメントと水（当初は水袋に入っている）を封入しているから、水袋を破ってセメント袋を良く振りそして揉めば、手を汚したり周囲にセメントを飛散させずに、セメントと水を良好に混合してゲル状セメントを作ることができる。
【００１０】
次に、セメントと水を混合したゲル状セメントを型枠内に流し込み、製作者の好みに応じて、ゲル状セメントの上に、ガラス片、金属片、ビーズ、或は貝などの装飾物を載置して付着させる。その状態で、所定時間放置し、ゲル状セメントが半固化した状態で、型枠を外してセメント装飾品を取り出す。その際にセメント装飾品の周囲に生じていたバリなどは、ペーパーを擦り付けて除去する。その後、そのまま放置することにより、セメントが完全に固化して装飾品が完成する。
【００１１】
このように、セメント装飾品は、焼成や加熱工程を必要とせずに、ゲル状セメントを型枠に流し込むだけで、簡単に作ることができ、ゲル状セメントは、セメント袋内の水袋を破ってセメント袋内で水とセメントを混合して、容易に作ることができる。よって、高価な設備を必要とせずに、子供から大人まで多くの人が、気軽に且つ容易にセメント装飾品を作ることができる。
【発明を実施するための最良の形態】
【００１２】
以下、本発明の一実施形態を図面に基づいて説明する。図１は本セメント装飾品の製造方法の流れ図を示し、図２はその方法に使用する型枠１の斜視図を、図３はその方法に使用するセメント袋の正面図と断面図を示している。本セメント装飾品の製造方法を実施する場合、図１のステップＳ１に示すように、先ず型枠１を作る。
【００１３】
型枠１は、製作しようとするセメント装飾品の形状に合わせて形成される。例えば、矩形のプレート状にセメント装飾品を作る場合、図２に示すように、底の浅い矩形のトレイ状に形枠１が形成される。この型枠１は、軽量で吸湿性がなく、ある程度の形状保持性を有した材料、例えば発泡ポリウレタン片２から製作される。
【００１４】
発泡ポリウレタンは所定の厚さの板状体が広く販売され、それらは軽量で、ナイフなどで容易に裁断することができるから、それらの発泡ポリウレタン板をナイフなどで適当な大きさに裁断して、型枠１の底板、側板を発泡ポリウレタン片２として容易に作ることができる。裁断した発泡ポリウレタン片２は、両面粘着テープなどを使用して相互に接着し、図２に示すような型枠１が製作される。
【００１５】
発泡ポリウレタン片２は上記のように、ナイフなどで容易に任意の形状に裁断することができると共に、両面粘着テープを使用して、簡単に接着することができる。したがって、型枠１は、製作者が希望した形状に比較的容易に形成することができ、熟練した技術を持たなくとも、子供から大人まで誰でも、希望の形状の型枠１を簡単に製作することができる。
【００１６】
次に、ステップＳ２で、セメント袋３を上下に振り、或は袋を手に持って揉むなどを繰り返すことにより、セメントと水を混合してゲル状セメントを作る。図３のように、セメント５は所定の量がセメント袋３内に封入され、水６は水袋４内に所定の量が封入され、水袋４はセメント袋３の中に密封された状態で配設されている。水とセメントの配合量は、混合した際に適度な粘度のゲル状セメントができるように予め設定されている。
【００１７】
なお、セメント５は通常、単独で使用するが、セメントに砂などの骨材を混合して使用することもできる。また、セメント５には各種の着色材を混合することができ、白色或は灰色のセメント５の他、各種の色のセメントを使用することができる。
【００１８】
一方、セメント袋３内の水袋４は、セメント袋３の外側から適度な押圧力でそれを押圧すると、水袋の接着部または袋素材が破壊され、水６がセメント袋３内に流出し、一方、セメント袋３は破壊されず、内部のセメントと水を保持するように形成されている。すなわち、セメント袋３の素材の強度及び接着部の強度は、水袋４の素材の強度及び接着部の強度より大きく形成され、通常の人がセメント袋３を外側から強く押えた場合、セメント袋３は破れず、水袋４のみが破れるように形成されている。
【００１９】
したがって、製作者は、袋を強く押して水袋４を破壊した状態で、セメント袋３を上下に振り、或は袋を手に持って揉むなどを繰り返すことにより、セメントと水を混合してゲル状セメントが作られる。セメントと水はセメント袋３内で混合されるから、セメントや水を混合中に飛散させる不具合は生じない。また、セメントと水の混合比も、予め設定した通りに混合することができる。
【００２０】
次に、ステップ３で、ゲル状セメントを図４のように型枠１内に流し込む。ゲル状セメントは、上記のように、セメント袋３内で作られるから、セメント袋３の端部を切除して一部を開口させ、その開口部から搾り出すようにすれば、ゲル状セメントは型枠１内に用意に流し込むことができる。型枠１内に流し込んだゲル状セメントは、型枠１を軽く叩くなどして振動を与えることで、型枠内に密に充填することができる。
【００２１】
次に、ステップ４で、図５に示すように、型枠１内のゲル状セメント７の上に、ビーズ、ガラス片、針金などを曲げて作った文字片などの装飾物８，９を、載置する。このとき、装飾物８，９はその略下半分がゲル状セメント７内に埋まり、その略上半分が上面に露出するように載置する。このような装飾物としては、貝殻などの自然物を利用することもできる。
【００２２】
なお、装飾品の一部に吊下げ用の孔或はフックを付ける場合、ゲル状セメント７の上部にストローを差し込んでおいて、約３０分後に半固化したときそれを外し、或はフックを差し込むように取り付けておく。
【００２３】
この状態で、ゲル状セメントを約１時間放置すると、ゲル状セメント７が半固化し、その状態で、型枠１を外す。型枠１は発泡ポリウレタン片２を接着して形成した場合、容易に分解して成形品から外すことができる。
【００２４】
そして、ステップ６で、セメント装飾品１０の縁部のバリを除去する。型枠を外したとき、ゲル状セメント７は半固化状態であり、完全に固化していない状態である。また、型枠を外したゲル状セメント７つまりセメント装飾品１０の縁部にバリが発生し、或は気泡による凹凸ができているので、ペーパーなどで縁部を擦れば、容易にバリや凹凸などを除去することができる。そして、その半固化状態のセメント装飾品１０を２〜３日放置すれば、完全に乾燥状態となって、図６のように、セメント装飾品１０が完成する。
【００２５】
このように、上記セメント装飾品１０は、焼成や加熱工程を必要とせずに、ゲル状セメント７を型枠１に流し込むだけで、簡単に作ることができ、ゲル状セメント７は、セメント袋３内の水袋４を破ってセメント袋３内で水とセメントを混合して、容易に作ることができる。したがって、電気炉、ガスバーナーなどの高価な設備を必要とせずに、また、危険を伴う加熱工程などを必要としないから、子供から大人まで多くの人が、気軽に且つ容易にセメント装飾品を作ることができる。
【００２６】
なお、上記実施形態では、プレート状のセメント装飾品を製作したが、矩形の箱状にセメント装飾品を作り、ペン立て、植木鉢、香材立てなどとすることもできる。
【図面の簡単な説明】
【００２７】
【図１】本発明の一実施形態を示すセメント装飾品の製造方法の流れ図である。
【図２】型枠１の斜視図である。
【図３】（ａ）はセメント袋の正面図、（ｂ）はセメント袋の断面図である。
【図４】セメント袋からゲル状セメントを型枠に流し込む際の斜視図である。
【図５】型枠内で成形状態にある装飾品の斜視図である。
【図６】完成したセメント装飾品の斜視図である。
【符号の説明】
【００２８】
１−型枠
２−発泡ポリウレタン
３−セメント袋
４−水袋
５−セメント
６−水
７−ゲル状セメント
８、９−装飾物
１０−セメント装飾品
【図１】
2006076204.tif 000003
【図２】
2006076204.tif 000004
【図３】
2006076204.tif 000005
【図４】
2006076204.tif 000006
【図５】
2006076204.tif 000007
【図６】
2006076204.tif 000008